(57)【特許請求の範囲】
【請求項１】
モバイル電気通信端末（１６）用のホルダー（４）を備えることを特徴とする、ショッピングカート用のプッシュハンドル（１）であって、前記ホルダー（４）は、前記電気通信端末（１６）用の取付台（６）と、ピボットジョイント（７）と、を備え、前記取付台（６）は、前記ピボットジョイント（７）により、前記プッシュハンドル（１）に寄り掛かっている時の定位置（Ａ）と、前記プッシュハンドル（１）から離れて伸びる保持位置（Ｂ）との間で旋回することができ、
前記取付台（６）は前記電気通信端末（１６）用のロックを備え、前記ロックを用いて前記電気通信端末（１６）の少なくとも一部分を取り囲むことができ、
前記ロックを解除するために操作される機構を遮断でき、前記機構の遮断は、前記取付台（６）の位置に依存し、且つ前記遮断は、前記取付台（６）が所定の位置へと旋回した後に解放されることを特徴とする、プッシュハンドル（１）。
【請求項２】
前記取付台（６）に保持された前記電気通信端末（１６）のディスプレイが、ショッピングカートを押す顧客によく見えるように、前記取付台（６）の前記保持位置（Ｂ）が垂直線に対して約３０度傾斜するように構成されることを特徴とする、請求項１に記載のプッシュハンドル（１）。
【請求項３】
前記取付台（６）上の互いに反対側に配置された２つのボタン（１８）を操作することにより前記ロックが調節可能であることを特徴とする、請求項１又は２に記載のプッシュハンドル（１）。
【請求項４】
前記機構を遮断するためにナンバーロックが設けられることを特徴とする、請求項１〜３の何れか一項に記載のプッシュハンドル（１）。
【請求項５】
前記取付台（６）が、前記取付台（６）に電気通信端末（１６）が存在するかどうかを検出する検出器（１５）を備えることを特徴とする、請求項１〜４の何れか一項に記載のプッシュハンドル（１）。
【請求項６】
前記電気通信端末（１６）が検出された時に、前記取付台（６）が前記定位置（Ａ）へと旋回することが遮断されることを特徴とする、請求項５に記載のプッシュハンドル（１）。
【請求項７】
前記取付台（６）が、前記電気通信端末（１６）用の電気的インターフェースを備えることを特徴とする、請求項１〜６の何れか一項に記載のプッシュハンドル（１）。
【請求項８】
前記電気的インターフェースが、前記電気通信端末（１６）を、ショッピングカート上に配置されたエネルギー源に接続することを特徴とする、請求項７に記載のプッシュハンドル（１）。
【請求項９】
広告情報及び／又はエネルギーを、前記電気的インターフェースを介して、前記プッシュハンドル（１）上に配置された広告面に伝送できることを特徴とする、請求項７又は８に記載のプッシュハンドル（１）。
【請求項１０】
前記電気通信端末（１６）と、前記プッシュハンドル（１）上に配置された電子式広告面（２）との間で情報を無線伝送するための、データインターフェースを備えることを特徴とする、請求項１〜９の何れか一項に記載のプッシュハンドル（１）。
【請求項１１】
無線伝送の中断及び／又は前記取付台（６）からの前記電気通信端末（１６）の取外しが、前記プッシュハンドル（１）の発する信号をトリガーすることを特徴とする、請求項５〜１０の何れか一項に記載のプッシュハンドル（１）。
【請求項１２】
前記取付台（６）が、前記プッシュハンドル（１）上に配置されたデポジットロック（３）用のシールド（８）を備えることを特徴とし、前記シールド（８）は、前記取付台（６）の前記定位置（Ａ）においては前記デポジットロック（３）のロック開口部（５）を露出させ、前記取付台（６）の前記保持位置（Ｂ）においては前記ロック開口部（５）を覆う、請求項１〜１１の何れか一項に記載のプッシュハンドル（１）。
【請求項１３】
請求項１に記載のプッシュハンドル（１）と、前記プッシュハンドル（１）の取付台（６）に保持される電気通信端末（１６）と、からなる盗難防止報知システムであって、前記電気通信端末（１６）は、傾斜センサーを備え、前記盗難防止報知システムは、プログラム製品を備え、前記電気通信端末（１６）を保持位置（Ａ）から取外し位置へと旋回させると、コード問合せがトリガーされるように、且つコードが全く入力されないか誤りコードが入力された時は前記電気通信端末（１６）上で信号が発せられるように、前記プログラム製品が前記傾斜センサーと相互作用する、盗難防止報知システム。
【発明の詳細な説明】
【技術分野】
【０００１】
本発明は、ショッピングカート用プッシュハンドル及び盗難防止報知システムに関するものであり、この盗難防止報知システムは、本発明のプッシュハンドルと、モバイル電気通信端末と、からなる。
【背景技術】
【０００２】
ショッピングカート用プッシュハンドルは、はるか以前から、当初の設計目的のタスクを超えて成長してきた。カートを押して店内を回るための単純なバーが、今では、種々の要求に対応する必要のある機能搭載器となった。最近のプッシュハンドルは、通常は人間工学的に成形され、大抵はデポジットロックを搭載し、広告用ディスプレイを備えることが多い。
【０００３】
ショッピングカート用プッシュハンドルは、プッシュハンドル上にさらなる機能部品を保持するためのホルダーを備えることもある。例えば、英国特許出願公開第２３９３５２６（Ａ）号明細書は、スワンネックによりプッシュハンドル上に保持された拡大鏡を示している。このようなスワンネックは極めて屈曲性が高いので、拡大鏡を所望の任意の位置に保持することが可能である。しかし、ホルダーが多くの空間を必要とするため、顧客がカートに物品を置こうとした時に邪魔になることが多い。加えて、このホルダーは屈曲性ではない。このようなホルダーは拡大鏡に堅固に接続されるので、他の機能部品をプッシュハンドルに取り付けることができない。
【０００４】
最近では、プッシュハンドルは、各店舗が顧客用に提供する独自のショッピング補助物用のホルダーを装備することも可能になっている。このようなショッピング補助物（すなわちディスプレイ）を使用すると、例えば、販売に供されている物品の詳細情報を問い合わせたり、特別な提供に対して顧客の注目を集めたりすることができる。伝達する情報は、通常、店内に存在するＷＬＡＮを介して提供される。
【０００５】
このようなショッピング補助物は店舗内で支給され、買い物時にショッピング補助物を格納することのできる独自のホルダーを必要とする。この目的で、ショッピング補助物の保持に適したホルダーが、プッシュハンドル上に設けられる。買い物が完了した後、ショッピング補助物は店舗に残る。すなわち、顧客に対するショッピング補助物の有用性は、顧客が店内で購入できる少数の物品に限定される。
【０００６】
独自のショッピング補助物とは対照的に、最近のモバイル電気通信端末（以下「スマートフォン」ともいう）は、所有者が自身のニーズと好みに応じて適応させることができるように設計されている。加えて、スマートフォンの所有者は通常、外出時は常にスマートフォンを携行する。その結果、以前は他の手段で実施することを要したタスクにスマートフォンが使われることが増えている。本願においてスマートフォンと呼ぶモバイル電気通信端末には、Ａｐｐｌｅが提供するｉｐａｄ（登録商標）等の、適切に装備された携帯型タブレットＰＣが含まれるものと理解される。
【０００７】
また、買い物の一般的状況においても、スマートフォンの重要性が一段と増している。買い物リストを考えただけでも、このことは明らかである。スマートフォン装置で買い物リストを作成し、店内で買い物リストを取り出すことができるので、手書きの買い物リストを家に残してきたために必要品目の一部を忘れる危険性がなくなる。
【０００８】
しかしながら、買い物中にスマートフォンを扱うことは、頻繁に中断が入るため多少厄介である。通常、顧客の手が空くことはないので、スマートフォンを何度もどこかに置かなければならない。顧客は、例えば買い物品を拾い上げたり、カートを押したりするために、他の方面で自身の手を必要とする。文字通り、顧客の手は縛られている。
【発明の概要】
【発明が解決しようとする課題】
【０００９】
本発明の要求事項は、顧客が持ち込んだモバイル電気通信端末を、単純な方法で保持でき、容易に操作可能となるように買い物中に運搬できるショッピングカート用プッシュハンドルを提案することである。
【課題を解決するための手段】
【００１０】
請求項１に記載のショッピングカート用プッシュハンドルが、この要求事項を満足する。このプッシュハンドルの特に有利な実施形態は、下位請求項に記載されている。
【００１１】
本発明の本質的な基本的考え方は、プッシュハンドルに、顧客が携行するスマートフォンのためのホルダーを装備することにある。提案するホルダーは、電気通信端末用の取付台と、ピボットジョイントと、を備え、このピボットジョイントにより、取付台は、取付台がプッシュハンドルに寄り掛かる位置である定位置と、取付台が旋回可能となってプッシュハンドルから突き出る位置である保持位置の間で、旋回可能となる。
【００１２】
スマートフォンの基本装備は、用途が制限される独自のショッピング補助物の基本装備と同一である。スマートフォンは、例えば、バーコードの写真撮影に有用なカメラと、無線データ交換に必要なインターフェース（ＷＬＡＮ、Ｂｌｕｅｔｏｏｔｈ（登録商標）等）と、を備える。従って、スマートフォンは、独自のショッピング補助物に取って代わる立場にある。加えて、スマートフォンは、明らかに有用なさらなる可能性を提供する。
【００１３】
これまでに、ショッピング支援機能を備えたスマートフォンが大手商業チェーンから提供されている。スマートフォンにより、在宅時から買い物に行く準備ができることから、こうしたスマートフォンは、ショッピング補助物の機能をはるかに超えている。例えば、使用済み物品のバーコードをスキャンするだけで買い物リストを作成できる。レシピに必要な材料を自動で収集し買い物リストに追加することができる。加えて、ある製品の価格を自宅で問い合わせることも可能である。
【００１４】
本発明で提案するホルダーにより、顧客は、買い物中に自身のスマートフォンを携行し続けることができ、スマートフォンを常時手で持つ必要なしに、買い物中にスマートフォンを操作できる。このようにして、スマートフォンの機能に簡単にアクセス可能となる。他方、ホルダーが不要の場合は、ホルダーを定位置のままにすることができる。定位置の時はスペースをほとんど取らないので、買い物中、使用者の邪魔にならず、ショッピングカート同士の重ね合わせを妨害しない。
【００１５】
ホルダーの操作はほぼ自明である。ホルダーが定位置にある時、ホルダー（スマートフォンの取付台を含む）はプッシュハンドルに寄り掛かっている。顧客が自身のスマートフォンを取付台に挿入できるようにするには、ホルダーを開いて、取付台を保持位置まで旋回させる以外に選択の余地はない。
【００１６】
取付台の保持位置が垂直線に対して約３０度傾くように構成されれば、有利である。次に、取付台に保持された電気通信端末のディスプレイを上斜め方向に傾けることにより、顧客は、ショッピングカートを押しながらディスプレイを容易に判読できる。
【００１７】
好適な一実施形態では、取付台は、電気通信端末用のロック、特にロッキングブラケットを備え、このロッキングブラケットを用いて、電気通信端末の少なくとも一部分を取り囲むことができる。このロックは、スマートフォンが確実に取付台に保持されることを保証するだけでなく、不正な取外しを防止することも保証する。顧客が目を離した気付かれない瞬間にスマートフォンを盗むことを可能にするには、窃盗犯は最初にロックを解除しなければならない。
【００１８】
好ましくは、ロックは、取付台に互いに反対側に配置された２つのボタンを操作することにより調節可能である。２つのボタンは間隔を空けて配置されているので、容易に操作でき、同時に、不注意にボタンに触れてロックを不意に調節することが阻止される。加えて、顧客がロックを開閉する時、自身の開いた手を強制的に取付台の正面に保持することになるので、スマートフォンを不注意に取付台から落下させることが防止される。
【００１９】
さらなるセキュリティ対策は、ロック解除のために操作する機構を遮断できるという点にある。遮断している間、顧客は自由に店内を移動でき、気がとがめることなく、ホルダーに保持されたスマートフォンから目を離すことができる。
【００２０】
好適な一実施形態では、この機構の遮断は、取付台の位置に依存する。取付台が旋回して、所定の取外し位置、特に垂直方向に整列した取外し位置に来た後でなければ、遮断は解除されない。取付台の保持位置では、本実施形態を用いた機構は遮断され、この保持位置に付いた時に自動的にロックが実行される。従って、顧客が特にロックを遮断する必要はない。
【００２１】
この実施形態は、特に、スマートフォンが取り外された場合にアラームを発動させる盗難防止報知システムに適している。この盗難防止報知システムは、プッシュハンドルの機能性と、プッシュハンドルの取付台に保持された電気通信端末の特定の特性を組み合わせたものである。今では、多くのスマートフォンが、スマートフォンの位置の変化を検出できる傾斜センサーを装備している。この点において、ＡｐｐｌｅのｉＰｈｏｎｅ（登録商標）で普及しているｓｐｉｒｉｔ−ｌｅｖｅｌ−ＡＰＰが特に挙げられる。
【００２２】
本発明で提案する盗難防止報知システムを使用すれば、電気通信端末が保持位置から取外し位置へと旋回するとコード問合せがトリガーされるように、且つコードが何も入力されないか誤りコードが入力された場合には電気通信端末側で信号を発するように、電気通信端末上で動作するプログラム製品（特にアプリケーション）が傾斜センサーと相互作用する。
【００２３】
当然ながら、本発明によるプッシュハンドルの他の実施形態でも、この盗難防止報知システムを使用できる。
【００２４】
自動遮断に代わる選択肢の１つは、上記機構を手動で遮断することである。この目的で、例えばナンバーロックを設けることができる。ロックの後にナンバーロックがセットされ、顧客が知る数字列を使用しなければナンバーロックを再度開けることはできない。
【００２５】
好適な一実施形態では、このナンバーロックは、例えばホルダーをプッシュハンドル上の定位置まで旋回すると作動する自動ゼロ位置を含む。従って、次の顧客は、ナンバーロックをリセットせずにナンバーロックを使用できる。或いは、ナンバーロックを使用する顧客に対し、強制的にナンバーロックを手動でゼロ位置にリセットさせてもよい。この目的で必要とされるのは、ナンバーロックがリセットされていない場合に、ホルダーが定位置まで旋回するのを遮断することだけである。ホルダーを定位置に置いてデポジットを取り出せるようにするには、顧客は、ナンバーロックをリセットせざるを得ない。
【００２６】
取付台が検出器を備え、この検出器により、取付台に電気通信端末が存在するかどうかが検出されれば、特に有利である。このような検出により、以下で説明する他の様々な応用の道が開かれる。
【００２７】
例えば、検出器を用いることにより、電気通信端末が検出された場合に、取付台が定位置へ旋回するのを遮断することができる。この場合、顧客が買い物を終えた後、スマートフォンが取付台に残っていることを忘れてホルダーを不注意に閉じることが不可能になるという利点がある。
【００２８】
特に有利な点の１つは、取付台が、プッシュハンドル上に配置されたデポジットロック用のシールドをさらに備えることができることである。このシールドは、取付台が定位置にある時にデポジットロックのロック開口部を露出させ、取付台が作動位置にある時はロック開口部を覆うように形状構成される。この実施形態では、顧客は、取付台が旋回して定位置にある場合に限り、デポジットロックにキーを挿入することができる。キーを挿入できるようにするには、顧客はまず、自身のスマートフォンを取り外さなければならない。そうしなければ、デポジットロック開口部はロックされたままであるため、顧客は、デポジットロックに保持された自身のデポジットを取り出すことができない。これは、スマートフォンを取付台に置き忘れることを防止する効果的な措置である。
【００２９】
好ましくは、取付台は、モバイル電気通信端末用の電気的インターフェースを備える。この電気的インターフェースは、エネルギー又はデータの伝達を可能にし、さらなる複数の有利な機能の基盤となる。
【００３０】
この目的で、電気的インターフェースが接触を検出するだけで既に充分であり得る。例えば、電気的インターフェースを盗難防止報知と併用することができる。この場合、電気的インターフェースは、スマートフォンが取付台に存在しているかを検出する検出器として機能する。取付台から電気通信端末を取り出すと、直ちに電気的接続が中断し、プッシュハンドル側及び／又は端末側で信号発信が開始される。この点において、電荷及び／又はデータの伝達は不要である。
【００３１】
好適な一実施形態では、電気的インターフェースは、電気通信端末を、ショッピングカート上に配置されたエネルギー源と接続する。従って、顧客は、自身のスマートフォンを取付台に挿入した時点で補助的サービスを受けることになる。この間、顧客のスマートフォンが充電される。必要なエネルギー源をプッシュハンドル上に配置してもよい。例えば、適切なバッテリーをプッシュハンドルに装備させることが可能である。バッテリー自体の充電は、プッシュハンドル上に配置された太陽電池、及び／又はショッピングカートのローラーと一体化したダイナモにより、簡易的に行うことができる。従って、バッテリーを別途充電する必要のある充電ステーションの準備は不要である。或いは、バッテリーを省き、太陽電池及び／又はダイナモを介してスマートフォンを直接充電することも可能である。
【００３２】
プッシュハンドルが広告面を備える場合、電気的インターフェースを用いて広告情報及び／又はエネルギーを広告面に送信するのが有利である。従って、広告面用の別のインターフェースを省くことができる。同時に、上記のエネルギー源を介して広告面を充電することが可能になる。
【００３３】
有利には、プッシュハンドルは、電気通信端末と広告面の間で情報を無線伝送するためのインターフェースを備える。短距離でのみ実現されるデータ接続により、中断が生じた場合に報知信号を発することが可能となり、スマートフォンの取外しに注意を促すことができる。
【００３４】
当然ながら、モバイル電気通信端末のいくつか特定の種類（例えばＡｐｐｌｅのｉＰｈｏｎｅ（登録商標））に適合するように、ホルダー及び／又はそのインターフェース若しくは検出器の形状を適応させることは、特に有利である。数種類及び数メーカーに対応するホルダーのデザインが１つあれば、同化が進むスマートフォンで上手く機能する。例えば、現在までの間に発生したポートの標準化により、あらゆる充電デバイスが確実に接続可能となっている。従って、適切に設計されたインターフェース１つで、スマートフォンの多くの種類を扱うことができる。
【００３５】
以下、本発明の好適な一実施形態におけるロックを、下記の図を参照しながら一連の事象の形で詳細に説明する。
【図面の簡単な説明】
【００３６】
【図１】ホルダーが定位置にある状態のプッシュハンドルの側面図を示す。
【図２】ホルダーが旋回して保持位置にある状態のプッシュハンドルの側面図を示す。
【図３】取付台にスマートフォンが挿入された状態の図２の側面図を示す。
【図４】スマートフォンにロッキングブラケットが掛かっている状態の図３の側面図を示す。
【図５】スマートフォンがロックされた状態の図４の側面図を示す。
【発明を実施するための形態】
【００３７】
図１は、広告用ディスプレイ２と、大部分が広告用ディスプレイ２の裏に隠れているデポジットロック３と、を備えたプッシュハンドル１を示す。プッシュハンドル１には、デポジットロック３と同じ高さにスマートフォン用ホルダー４が配置されている。ホルダー４は、プッシュハンドルのロック開口部５の両側に、例えばネジ留めにより取り付けられている。デポジットロック開口部５の上方に配置されたピボットジョイント７を介して、ホルダー４の取付台６が、プッシュハンドル１に旋回可能に接続されている。
【００３８】
図１に示す定位置Ａでは、取付台６は、プッシュハンドル１に寄り掛かっている。或いは、より厳密には、デポジットロック３の上部に寄り掛かっている。定位置Ａでは、取付台５に保持されたシールド８がデポジットロック開口部５を露出させている。これにより、デポジット１０をデポジットロック３に押し込んだ後、デポジットキー９を取り外すことができ、再び挿入することもできる。デポジットキー９を挿入した状態では、挿入したデポジットキー９のキーヘッドが取付台６の旋回を阻止するので、取付台は定位置Ａにブロックされる。
【００３９】
図２に示すように取付台６が保持位置にある時、取付台６は、垂直線に対して約３０度の角度でプッシュハンドル１から離れて傾斜する。取付台６の湾曲キャリヤー１２用に、ピボットジョイントの下方でホルダー４が支持体１１を形成しており、この支持体１１が、ピボットジョイント７の旋回角度を制限する。保持位置Ｂでは、取付台６の自重及び挿入されたスマートフォンの追加重量により、取付台６が確実に保持される。
【００４０】
取付台を保持位置Ｂへと旋回させると、シールド８の位置が変わり、このシールド８が、今度はロック開口部５を覆う。これにより、デポジットキー９の挿入が阻止される。従って、デポジット１０を再び取り出すには、取付台を定位置Ａへと旋回させなければならないことが保証される。
【００４１】
取付台６は外殻として形成され、裏側にロッキングブラケット１３を備える。ロッキングブラケット１３は、取付台６の上端に配置されたピボットジョイント１４を介して取付台内に旋回可能に保持される。正面に設けられた機械式検出器１５は、スマートフォンの挿入時に滑るようにして移動する。スマートフォンが挿入された状態では、この検出器は、取付台が旋回して定位置Ａに移動するのをブロックする位置にある。
【００４２】
図３及び４は、スマートフォン１６が取付台６に挿入される様子と、その後、ロッキングブラケット１３を用いて取付台がロックされる様子を示す。図２及び３に示す位置では、ロッキングブラケット１３は取付台の裏に配置され、好ましくは当たり止めに寄り掛かっている。この位置では、ロッキングブラケットは取付台６に覆われており、スマートフォン１６の出し入れ時に邪魔にならない。
【００４３】
ロッキングブラケット１３は、ピボットジョンイント１４の反対側の端に、爪１７を備える。スマートフォン１６を取付台６にセットした後、顧客は、ロッキングブラケット１３の爪１７が、取付台６から突き出ているスマートフォン１６より上に位置するまで、ロッキングブラケット１３を後ろ側の位置からスイングさせる。
【００４４】
図５に示すように、ロッキングブラケット１３を下げてスマートフォンを固定するには、取付台の両側に配置された２つのボタン１８を同時に操作する必要がある。
【００４５】
スマートフォン１６の取外しと、取付台６を最初の位置に戻す操作は、逆の順序で行う。
【図１】
0005852251.tif 000002
【図２】
0005852251.tif 000003
【図３】
0005852251.tif 000004
【図４】
0005852251.tif 000005
【図５】
0005852251.tif 000006